(57)【要約】【課題】バケットに収納された薬剤を反転させることで放出させる薬材供給装置において、薬剤放出の確実性を高める。【解決手段】  底部８２との対向面が開口とされ、内部が薬剤ＴＢの収納空間８０とされた箱状のバケット６２と、バケット６２を移動させることで、開口が上向きの第１状態から開口が下向きの第２状態へとバケット６２の状態を変更するバケット移動機構とを有する薬剤供給装置であって、バケット６２は、第１状態では底部８２側に位置するとともに薬剤ＴＢが載置可能であり、第２状態では底部８２から離隔する方向へ移動する可動部材９１を、収納空間８０に有していることを特徴とする。【選択図】図７
2014028632.tif 000002
【特許請求の範囲】
【請求項１】
底部との対向面が開口とされ、内部が薬剤の収納空間とされた箱状のバケットと、
前記バケットを移動させることで、前記開口が上向きの第１状態から前記開口が下向きの第２状態へと前記バケットの状態を変更するバケット移動機構とを有する薬剤供給装置であって、
前記バケットは、
前記第１状態では前記底部側に位置するとともに前記薬剤が載置可能であり、前記第２状態では前記底部から離隔する方向へ移動する可動部材を、前記収納空間に有していることを特徴とする薬剤供給装置。
【請求項２】
前記可動部材が金属板片によって作製されていることを特徴とする請求項１に記載の薬材供給装置。
【請求項３】
前記バケットは、前記可動部材に連結され、ガイド孔を介して前記バケットの外側に配置されるストッパを有し、
前記バケットが前記第１状態にあるときに前記ストッパに当接し、前記可動部材の移動を規制する移動規制部材を有することを特徴とする請求項１又は２に記載の薬材供給装置。
【請求項４】
前記バケットは、底部前縁から延出されるとともに前記底部前縁から開口前縁に向かうほど前方にせり出した傾斜前面部を有し、
前記可動部材は、前記底部の内表面及び前記傾斜前面部の内表面に沿って屈曲された屈曲板片によって構成され、
前記ガイド孔は、前記傾斜前面部に設けられた長孔であることを特徴とする請求項３に記載の薬材供給装置。
【請求項５】
前記可動部材及び前記ストッパは、導電性を有する素材によって作製され、
前記移動規制部材は、導電性を有する素材によって作製されているとともに接地されていることを特徴とする請求項３又は４に記載の薬材供給装置。
【発明の詳細な説明】
【技術分野】
【０００１】
本発明は、薬剤供給装置に関する。
【背景技術】
【０００２】
多数の薬剤を種類別に収納した複数のタブレットケースを有し、各タブレットケースから薬剤を個別に放出させてホッパーで集め、複数種類の薬剤を１回分毎に個別包装する薬剤供給装置が知られている（例えば特許文献１を参照）。
【０００３】
新薬やジェネリック医薬品の普及等により、既存のタブレットケースに対応していない新たな形状や大きさの薬品が扱われるケースが生じている。また、１つの錠剤を分割して服用する場合もある。このような薬剤に対応するため、特許文献１に記載された装置では、薬剤フィーダが設けられている。
【０００４】
この薬剤フィーダは、例えば、一面が開口とされた箱状部材によって構成されたバケット（セル）と、バケットが取り付けられる無端ベルトと、無端ベルトを回転させる一対のプーリとを有している。そして、バケットは、底部をベルト側に向けた状態で横並びに取り付けられている。また、無端ベルトは、上側のバケット群と下側のバケット群とが水平方向に対向して移動されるように、一対のプーリの間に架け渡されている。
【０００５】
この薬剤フィーダでは、開口が上向きの状態でバケットに薬剤が収納され、このバケットがプーリの位置で反転された際に、収納された薬剤が外部へ放出される。放出された薬剤はホッパーで集められ、タブレットケースから放出された薬剤と共に個別包装される。
【先行技術文献】
【特許文献】
【０００６】
【特許文献１】特開２０１０−８３４９６号公報
【発明の概要】
【発明が解決しようとする課題】
【０００７】
ところで、タブレットケースで扱えない薬剤にも様々な種類があり、反転後もバケットの底部に貼り付いたまま落ちてこない薬剤もある。例えば、重量が軽く静電気を帯び易い薬剤は、反転後も静電気によってバケットの底部に貼り付いたままになることがある。この場合、一回服用分の薬剤の一部が不足した状態で包装されてしまう。そして、包装後のチェックで不足（エラー）が確認されると、調剤担当者は、貼り付いた薬剤をバケットから取り出し、再度バケットに一回服用分の薬剤を投入するといった無駄な作業を強いられることとなり、作業効率が損なわれてしまうという問題点があった。
【０００８】
本発明はこのような事情に鑑みてなされたものであり、その目的は、バケットに収納された薬剤の放出について確実性を高めることにある。
【課題を解決するための手段】
【０００９】
前述の目的を達成するため、本発明は、底部との対向面が開口とされ、内部が薬剤の収納空間とされた箱状のバケットと、前記バケットを移動させることで、前記開口が上向きの第１状態から前記開口が下向きの第２状態へと前記バケットの状態を変更するバケット移動機構とを有する薬剤供給装置であって、前記バケットは、前記第１状態では前記底部側に位置するとともに前記薬剤が載置可能であり、前記第２状態では前記底部から離隔する方向へ移動する可動部材を、前記収納空間に有していることを特徴とする。
【発明の効果】
【００１０】
本発明によれば、バケットが第１状態のときに薬剤が可動部材に載置され、その後にバケットが第２状態に変更されると、可動部材が底部から離隔する方向に移動する。可動部材の移動に伴って薬剤も下向きに移動するので、静電気等の影響を受け難くなり、薬剤のバケットからの放出についてその確実性を高めることができる。
【図面の簡単な説明】
【００１１】
【図１】薬剤供給装置の斜視図である。
【図２】薬剤供給装置の内部を正面側から見た図である。
【図３】薬剤供給装置の内部を右側面から見た図である。
【図４】（ａ）は薬剤フィーダの平面図、（ｂ）は薬剤フィーダの正面図である。
【図５】（ａ）は移動規制部剤を外した薬剤フィーダの斜視図、（ｂ）はバケットの斜視図である。
【図６】薬剤フィーダの端部における拡大図である。
【図７】可動部材の作用を説明する図であり、（ａ）は開口が上向きの第１状態を、（ｂ）は開口が下向きの第２状態をそれぞれ示す。
【図８】バケットの第１変形例を説明する図であり、（ａ）は第１状態を、（ｂ）は第２状態をそれぞれ示す。
【図９】バケットの第２変形例を説明する図であり、（ａ）は第１状態を、（ｂ）は第２状態をそれぞれ示す。
【図１０】バケットの第３変形例を説明する図である。
【発明を実施するための形態】
【００１２】
以下、本発明の実施形態を図面に基づいて説明する。まず、図１〜図３を参照して薬剤供給装置１の全体構成について説明する。
【００１３】
この薬剤供給装置１は、薬剤供給部２と、薬剤搬送部３と、薬剤包装部４と、コントロールパネル５とを有している。薬剤供給部２は、貯留された薬剤を供給する部分である。薬剤搬送部３は、薬剤供給部２から供給された薬剤を薬剤包装部４へと搬送する部分である。薬剤包装部４は、薬剤搬送部３から搬送された薬剤をまとめて個別包装する部分である。本実施形態では、筐体６における上側部分に薬剤供給部２が設けられ、高さ方向の中間部分に薬剤搬送部３が設けられ、下側部分に薬剤包装部４が設けられている。コントロールパネル５は、調剤担当者等によって操作される部分である。
【００１４】
薬剤供給部２は、自動供給部２１と薬剤フィーダ２２とを有している。自動供給部２１は、複数種類の薬剤から必要な薬剤を選択して供給する部分であり、薬剤フィーダ２２は、調剤担当者によって選ばれた薬剤を供給する部分であり、薬剤供給装置１の前面上部にて、左右方向に設けられている。なお、薬剤フィーダ２２については、後で詳しく説明する。
【００１５】
自動供給部２１は、タブレットケース２３と、タブレットケース収納部２４とを有している。タブレットケース２３は、内部に薬剤の貯留空間が形成された筒状部材であり、その底部には、貯留された薬剤を列状に整列させて下端から１個ずつ排出する排出機構（不図示）が設けられている。このタブレットケース２３は、薬剤の種類毎に専用のものが用意されている。すなわち、１つのタブレットケース２３には１種類の薬剤のみが貯留される。
【００１６】
タブレットケース収納部２４は、前述のタブレットケース２３が収納される部分である。このタブレットケース収納部２４には、例えば１００〜２００個のタブレットケース２３を収納することができる。このため、最大で１００〜２００種類の薬剤を扱うことができる。タブレットケース収納部２４の底部には、タブレットケース２３が個別に取り付けられるケース取付部２５が設けられている。このケース取付部２５には、タブレットケース２３の排出機構を動作させる駆動機構（不図示）が設けられている。そして、駆動機構によってタブレットケース２３から排出された薬剤は、ケース取付部２５を通過して下方の薬剤搬送部３へと落下する。
【００１７】
薬剤搬送部３は、ベルトコンベア３１と、傾斜板３２と、ホッパー３３とを有している。ベルトコンベア３１及び傾斜板３２は何れも、薬剤供給部２からの薬剤をホッパー３３へと案内するための部材である。ベルトコンベア３１は、ホッパー３３に向けて緩やかに下り傾斜した状態に配置されており、ベルト上に落下した薬剤をホッパー３３に案内する。傾斜板３２は、薬剤が自重で転がり落ちる程度の下り傾斜となるように設置された板状部材であり、落下した薬剤をホッパー３３に案内する。ホッパー３３は、ベルトコンベア３１や傾斜板３２から案内されてきた薬剤を薬剤包装部４（後述するノズル４１）へと案内する。このように薬剤搬送部３では、薬剤供給部２から供給された薬剤を薬剤包装部４へ搬送している。
【００１８】
薬剤包装部４は、ノズル４１と、包装機４２とを有している。ノズル４１は、ホッパー３３を通じて搬送された各薬剤を一時的に貯留し、所定の薬剤が揃った場合に、貯留された各薬剤を下方へ放出する部分である。このため、ノズル４１は、開閉制御可能なシャッター（不図示）を有しており、薬剤の貯留時にはシャッターを閉じておき、薬剤の放出時にはシャッターを開放する。
【００１９】
包装機４２は、ノズル４１から放出された各薬剤を個別に包装する部分であり、ロール保持部４３と、プリンタ４４と、熱シールヘッド４５と、カッター４６と、コンベア４７と、搬送モータ４８とを有している。ロール保持部４３は、ロール状の包装紙（不図示）を保持する部分である。プリンタ４４は、ロール保持部４３から繰り出された包装紙の表面に所定の印刷を行う部分である。そして、プリンタ４４で印刷が施された包装紙は、ノズル４１に案内される。
【００２０】
ここで、包装紙は、熱圧着される素材で作製された帯状用紙を、長手方向に沿って半分に折り返した２枚重ね構造をしている。この包装紙は、折り返し部分が下側となるように取り付けられており、Ｖ字状に開かれた状態でノズル４１に案内される。このため、ノズル４１から放出された各薬剤は、Ｖ字状に開かれた包装紙の内側に落下する。
【００２１】
熱シールヘッド４５は、各薬剤が落下した包装紙を熱圧着し、各薬剤を個別空間に封入する部分である。カッター４６は、薬剤が封入された包装紙を切断する部分である。コンベア４７は、カッター４６で切断された分包を、取出口７まで搬送する部分である。搬送モータ４８は、コンベア４７の動力源となるモータである。
【００２２】
このように構成された薬剤包装部４では、薬剤搬送部３から搬送された各種薬剤を分包にし、取出口７まで搬送する。
【００２３】
コントロールパネル５は、図１に示すように、表示部５１と入力部５２とを有している。表示部５１は、液晶表示パネル等によって構成され、各種の情報が表示される。入力部５２は、複数の操作スイッチによって構成され、調剤担当者からの指示が入力される。すなわち、調剤担当者は、表示部５１に表示された各種情報を参照しつつ入力部５２の操作スイッチを操作することで、薬剤供給装置１に対する各種の指示を行う。
【００２４】
次に、薬剤フィーダ２２について説明する。この薬剤フィーダ２２は、調剤担当者によって選ばれた薬剤を供給する部分であり、自動供給部２１では供給が難しい形状の薬剤や分割された錠剤を供給する際に用いられる。このため、図１に示すように、薬剤フィーダ２２は、薬剤供給装置１の前面上部に設けられ、上向きに開口された複数の収納空間を左右方向に区画している。これにより、調剤担当者による薬剤のセットを容易に行えるようにしている。
【００２５】
図３に示すように、薬剤フィーダ２２にセットされた薬剤は、薬剤フィーダ２２の右端部で放出され、シュート２６を通じて傾斜板３２に案内される。このため、自動供給部２１から供給された薬剤と同様に、ホッパー３３を通じてノズル４１に貯留された後、分包化される。なお、図３では、薬剤フィーダ２２の右端部を示しているが左端部も同様に構成されている。この場合、放出された薬剤は、シュートを通じてベルトコンベア３１に案内される。そして、ホッパー３３を通じてノズル４１に貯留された後、分包化される。
【００２６】
図４及び図５に示すように、薬剤フィーダ２２は、フレーム６１と、バケット６２と、移動規制部材６３と、バケット移動機構６４と、右側案内部材６５と、左側案内部材６６とを有している。なお、図の煩雑さを避けるため、図４では、左右両端に位置するバケット６２を記載し、途中のバケット６２を省略した。同様に、図５（ａ）の斜視図では、バケット６２を簡略化して記載した。
【００２７】
フレーム６１は、バケット６２やバケット移動機構６４が取り付けられるとともに、ユニットを筐体６に取り付けるための板状部材であり、本実施形態では横長矩形状の金属板（ＳＵＳ板）によって構成されている。
【００２８】
バケット６２は、図５（ｂ）に示すように、開口を有する箱状部材によって構成されている。このバケット６２の内部は、薬剤が収納される収納空間８０になっており、この収納空間８０には、薬剤を確実に放出させるために可動部材９１が配置されている。また、可動部材９１には、この可動部材９１の移動を規制するストッパ９２が設けられている。なお、バケット６２については、後で詳しく説明する。
【００２９】
移動規制部材６３は、可動部材９１の移動を規制するための板状部材であり、図４に示すように、バケット６２の前面と近接した位置に設けられている。そして、ストッパ９２が当接することで、可動部材９１の移動を規制する。なお、移動規制部材６３についても、後で詳しく説明する。
【００３０】
バケット移動機構６４は、バケット６２を移動させるための機構であり、図４（ｂ）、図５（ａ）に示すように、無端ベルト７１と、駆動プーリ７２と、従動プーリ７３と、駆動モータ７４と、伝達ベルト７５とを有している。
【００３１】
無端ベルト７１は、バケット６２が取り付けられる部材である。本実施形態では、底部８２を無端ベルト７１に対向させた状態で、複数のバケット６２が横並びに取り付けられている。この無端ベルト７１は、右側に配置された駆動プーリ７２と、左側に配置された従動プーリ７３との間に架け渡されており、駆動プーリ７２の回転に伴って移動するように構成されている。これにより、無端ベルト７１の上列に配置されるバケット群は開口を上向きにした第１状態となり、無端ベルト７１の下列に配置されるバケット群は開口を下向きにした第２状態となる。
【００３２】
無端ベルト７１の移動に伴ってバケット６２も移動する。例えば、駆動プーリ７２が時計回りに回転するとき、上列に位置するバケット群は左から右へと移動し、下列に位置するバケット群は右から左へと移動する。そして、無端ベルト７１の右端（駆動プーリ７２の位置）でバケット６２は反転し、開口が上向きの第１状態から開口が下向きの第２状態へと変換される。同様に、無端ベルト７１の左端（従動プーリ７３の位置）でもバケット６２は反転し、第２状態から第１状態へと変換される。なお、駆動プーリ７２が反時計回りに回転する場合は、上記と逆方向に各バケット６２が移動される。
【００３３】
駆動モータ７４は、駆動プーリ７２に回転力を付与する動力源であり、伝達ベルト７５は、駆動モータ７４の回転力を駆動プーリ７２に伝達するための部材である。そして、駆動モータ７４の回転速度、回転方向、動作時間等は、コントロールパネル５からの制御情報等に基づき、コントローラー（不図示）によって制御される。
【００３４】
右側案内部材６５は、無端ベルト７１の右端で第１状態から第２状態へと反転したバケット６２から放出された薬剤を案内するホッパー状部材である。同様に、左側案内部材６６は、無端ベルト７１の左端で第１状態から第２状態へと反転したバケット６２から放出された薬剤を案内するホッパー状部材である。各案内部材の下端は、前述したシュート２６に接続されている。このため、放出された薬剤は、シュート２６等を通じてノズル４１に一時貯留された後に分包化される。
【００３５】
次に、バケット６２及び移動規制部材６３について詳細に説明する。まず、バケット６２について説明する。
【００３６】
図５（ｂ）に示すように、バケット６２は、バケット本体８１と、可動部材９１と、ストッパ９２とを有している。
【００３７】
バケット本体８１は、底部８２と、傾斜前面部８３と、一対の側面部８４と、背面部８５と、遮蔽部８６とを有しており、底部８２と対向する面が開口された箱状部材である。そして、前述したようにバケット６２の内部が薬剤を収納するための収納空間８０になっている。この収納空間８０の幅は、人間の指の幅よりも多少余裕を持った幅に定められている。このため、一旦収納した薬剤を指先で掻き出すことが可能である。また、本実施形態のバケット本体８１は、樹脂の一体成形によって作製されている。
【００３８】
底部８２は、無端ベルト７１と対向する部分であり、矩形板状に作製されている。傾斜前面部８３は、底部８２における前縁から立設された矩形板状の部分であり、底部８２から離隔するほどに前方にせり出すように斜めに設けられている。この傾斜前面部８３には、縦方向（底部８２と開口とを結ぶ方向）に長いガイド孔８７が形成されている。このガイド孔８７は、ストッパ９２の根元部分が配置される長孔である。このため、ストッパ９２の根元部分は、ガイド孔８７の範囲内で移動ができる。側面部８４は、底部８２の左右両側縁から立設された板状の部分であり、傾斜前面部８３の傾斜にあわせて台形状をしている。背面部８５は、底部８２の後縁から立設された矩形板状の部分である。
【００３９】
遮蔽部８６は、背面部８５の開口縁から連続して底部８２から離隔する方向に設けられた板状部分である。この遮蔽部８６は、各バケット６２の通過をフォトセンサ（図示せず）に検出させるためのものである。すなわち、バケット６２の反転位置（右側案内部材６５や左側案内部材６６の位置）における遮蔽部８６の通過経路にはフォトセンサが配置されている。そして、遮蔽部８６がフォトセンサを通過することで、バケット６２が反転したこと（薬剤が放出されたであろうこと）が電気的に検出される。
【００４０】
可動部材９１は、薬剤が載置される部材であり、収納空間８０に配置されている。そして、バケット６２が第１状態にあるときには底部８２側に位置し、第２状態にあるときには底部８２から離隔する方向へ移動する。図６に示すように、可動部材９１は、底部８２の内表面及び傾斜前面部８３の内表面に沿って屈曲された金属製の屈曲板片によって構成されている。本実施形態では、長方形状のＳＵＳ板をく字状に屈曲させることで作製されている。そして、可動部材９１における底部８２と接する部分の大きさは、底部８２を一回り小さくした矩形状であり、バケット本体８１と可動部材９１の隙間に薬剤が入り込まないようになっている。
【００４１】
ストッパ９２は、コ字状に屈曲させた金属片によって作製されており、可動部材９１における傾斜前面部８３に対応する部分にリベット止めされている。このため、傾斜前面部８３に設けたガイド孔８７にはリベット９３が挿通され、このリベット９３がストッパ９２の根元部分を構成する。これにより、ストッパ９２は、ガイド孔８７を介してバケット６２の外側に配置されている。なお、リベット止めに際し、ストッパ９２は平面視でコ字状となる向きに固定されている。
【００４２】
本実施形態のストッパ９２は、可動部材９１と同様にＳＵＳ板によって作製されている。そして、リベット９３は導電性を有する金属製のものを用いている。このため、可動部材９１とストッパ９２とがリベット９３を介して導通された状態になっている。
【００４３】
以上のように構成されたバケット６２では、開口が上向きの第１状態において、図７（ａ）に示すように可動部材９１は自重で下側に移動する。これにより、底部８２の内表面と傾斜前面部８３の内表面に接した状態になる。一方、開口が下向きの第２状態において、図７（ｂ）に示すように可動部材９１は自重で下側に移動する。これにより、可動部材９１は、ストッパ９２がガイド孔８７の端部に当接するまで移動し、底部８２から離隔される。すなわち、バケット６２が第１状態から第２状態へと変更されることで、可動部材９１は底部８２に近接した状態から底部８２から離隔した状態に切り替わる。
【００４４】
これにより、第１状態で可動部材９１に載置された薬剤ＴＢは、第２状態において可動部材９１の移動に伴って底面から離隔される。さらに、ストッパ９２の根元（リベット９３）がガイド孔８７の端部に当接すると、その衝撃が可動部材９１にも伝達され、薬剤ＴＢを可動部材９１から離すように作用する。これらにより、薬剤ＴＢを確実に収納空間８０の外部へと放出させることができる。
【００４５】
次に、移動規制部材６３について説明する。図４（ｂ）及び図６に示すように、移動規制部材６３は、金属板（本実施形態ではＳＵＳ板）によって作製され、バケット６２の前方であってバケット６２と近接した位置に配置されている。そして、その上端部はバケット６２側へ斜めに屈曲されており、第１状態のバケット６２が有するストッパ９２の上面との間に若干のクリアランスを空けて近接されている。また、この移動規制部材６３は、アース線（不図示）を介して筐体６と電気的に接続されている。この筐体６は接地（ＦＧ）されているので、移動規制部材６３もまた接地されている。
【００４６】
この移動規制部材６３は、第１状態のバケット６２が有する可動部材９１の上側への移動を規制する。この移動規制部材６３は、例えばバケット６２に収納した薬剤を調剤担当者が取り出そうとする場合に有効に機能する。
【００４７】
すなわち、薬剤を取り出そうとする場合、調剤担当者は、指先をバケット６２内に入れて底面から傾斜前面部８３に向かって手前側に指先を動かし、薬剤を収納空間８０から掻き出す。その際、指との摩擦によって可動部材９１が上方へ移動しようとするが、ストッパ９２が移動規制部材６３に下側から当接するので、可動部材９１の上方への移動が規制される。これにより、薬剤を円滑に収納空間８０から掻き出すことができる。
【００４８】
また、移動規制部材６３は、収納空間８０に収納された薬剤を飛び出し難くする機能も有している。すなわち、バケット６２の左右方向への移動時に生じる振動によって可動部材９１が上側に移動しようとしても、ストッパ９２が移動規制部材６３に当接するので、過度な移動が制限される。これにより、収納された薬剤が弾むのを防止し、収納空間８０から飛び出し難くすることができる。
【００４９】
さらに、本実施形態では、移動規制部材６３が導電性の金属板（ＳＵＳ板）によって構成され、かつ、移動規制部材６３が接地されているので、可動部材９１が静電気を帯びていても、バケット６２の左右方向への移動に伴って静電気を除去できる。すなわち、バケット６２の左右方向への移動に伴ってストッパ９２が移動規制部材６３に当接するが、その際に可動部材９１の静電気は、リベット９３、ストッパ９２、移動規制部材６３及び筐体６を通じてグランドに放出される。
【００５０】
このように、可動部材９１等を通じて静電気を除去しているので、底部８２が静電気を帯びていても、薬剤が可動部材９１等に張り付き難くなる。その結果、薬剤を確実に収納空間８０の外部へと放出させることができる。
【００５１】
以上説明した様に本実施形態では、底部８２との対向面が開口され、内部が薬剤の収納空間８０とされた箱状のバケット６２と、バケット６２を移動させることで、開口が上向きの第１状態から開口が下向きの第２状態へとバケット６２の状態を変更するバケット移動機構６４とを有する薬剤供給装置１において、バケット６２の収納空間８０には、第１状態では底部８２側に位置するとともに薬剤が載置可能であり、第２状態では底部８２から離隔する方向へ移動する可動部材９１を設けているので、バケット６２が第２状態に変更されると可動部材９１が底部８２から離隔する方向に移動し、可動部材９１とともに薬剤も移動する。これにより、薬剤は静電気等の影響を受け難くなり、バケット６２から確実に放出させることができる。
【００５２】
また、本実施形態の可動部材９１は、樹脂よりも密度の大きい金属板片（ＳＵＳ板）によって作製されているので、自重によって可動部材９１を確実に移動させることができる。すなわち、第１状態では、可動部材９１を底部８２側へ確実に位置させることができ、第２状態では、可動部材９１を底部８２から確実に離隔させることができる。
【００５３】
また、本実施形態のバケット６２は、可動部材９１に連結され、ガイド孔８７を介してバケット６２の外側に配置されるストッパ９２と、バケット６２が第１状態にあるときにストッパ９２に当接して、可動部材９１の移動を規制する移動規制部材６３とを有している。このため、調剤担当者による薬剤の取り出し時の作業性を向上させることができる。また、バケット６２の移動時に薬剤が収納空間８０の外部に飛び出してしまう不具合も防止できる。
【００５４】
また、本実施形態のバケット６２では、底部８２の前縁から延出されるとともにこの前縁から開口の前縁に向かうほど前方にせり出した傾斜前面部８３を有している。そして、可動部材９１は、底部８２の内表面及び傾斜前面部８３の内表面に沿ってく字状に屈曲された屈曲板片によって構成されている。さらに、ガイド孔８７は、傾斜前面部８３に設けられた長孔によって構成されている。この構成では、可動部材９１と傾斜前面部８３とが面で接しているので、第１状態から第２状態に切り替わった際に、可動部材９１を円滑に移動させることができる。これにより、薬剤を確実に放出させることができる。
【００５５】
また、ガイド孔８７が長孔によって構成されているので、エアーダスターやブロアー等の空気吹付け型清掃具によって収納空間８０を清掃する際に、内部のゴミ（錠剤の削りかすや埃）が長孔を通じて外部に排出されやすい。このため、清掃時の作業効率を高めることもできる。
【００５６】
また、本実施形態の可動部材９１及びストッパ９２は、導電性を有するＳＵＳ板によって作製されている。そして、移動規制部材６３は、導電性を有するＳＵＳ板によって作製されているとともに筐体６を介して接地されている。この構成では、バケット本体８１の底部８２に静電気がたまっていたとしても、可動部材９１、ストッパ９２、移動規制部材６３、及び、筐体６を介して静電気をグランドへ放出させることができる。これにより、静電気に起因する薬剤の貼り付きを防止し、確実に放出させることができる。
【００５７】
ところで、前述の実施形態のバケット６２では、く字状に屈曲させた可動部材９１を傾斜前面部８３に沿って移動させるものであったが、可動部材９１はこの構成に限られない。以下、可動部材９１を変更した変形例のバケット６２について説明する。なお、各変形例において、バケット本体８１は前述したものと同じ構成であるため、同一符号を付して説明は省略する。
【００５８】
図８に示す第１変形例のバケット６２Ａでは、可動部材９１Ａが、前端に軸受け部９４を設けた板状部材によって構成されている。この可動部材９１Ａは、例えば、前端を筒状に曲げ加工された金属板によって作製される。そして、両側面部８４の底部側前端に架設された回転軸９５を中心に回転可能に構成されている。
【００５９】
開口が上向きの第１状態では、図８（ａ）に示すように、可動部材９１Ａの後端が底部８２に当接した状態になっている。そして、薬剤ＴＢは可動部材９１Ａの表面に載置される。そして、開口が下向きの第２状態では、図８（ｂ）に示すように、後端が下向きとなるまで可動部材９１Ａが略９０度回転される（すなわち前端を中心に後端側が底部８２から離隔する方向へ回転される）。これにより、載置されていた薬剤ＴＢが確実に放出される。
【００６０】
図９に示す第２変形例のバケット６２Ｂでも可動部材９１Ｂは、軸受け部９４を有する板状部材によって構成されている。なお、第１変形例では前端に軸受け部９４が設けられていたが、第２変形例では第１状態で左側となる側縁に軸受け部９４が設けられている。このため、回転軸９５は、傾斜前面部８３と背面部８５の間であって、第１状態において左下隅部となる位置に架設されている。
【００６１】
開口が上向きの第１状態では、図９（ａ）に示すように、可動部材９１Ｂの自由端部（同図における右端部）が底部８２に当接した状態になっている。そして、薬剤ＴＢは可動部材９１Ｂの表面に載置される。そして、開口が下向きの第２状態では、図９（ｂ）に示すように、可動部材９１Ｂの自由端部が底部８２から離隔するように回転される（すなわち軸受け部９４を中心に自由端部側が底部８２から離隔する方向へ回転される）。この第２変形例でも、載置されていた薬剤ＴＢが確実に放出される。
【００６２】
図１０に示す第３変形例のバケット６２Ｃでは、可動部材９１Ｃが、前述の実施形態のようにく字状に屈曲されている。さらに薬剤ＴＢの載置部分に対して複数のスリットが形成されており、フォーク状に形成されている。この第３変形例では、可動部材９１における薬剤載置部分がフォーク状であるため、薬剤ＴＢとの接触面積をスリットの分だけ少なくすることができる。これにより、薬剤ＴＢの静電気による貼り付きを一層確実に防止できる。
【００６３】
以上の実施形態の説明は、本発明の理解を容易にするためのものであり、本発明を限定するものではない。本発明はその趣旨を逸脱することなく、変更、改良され得ると共に本発明にはその等価物が含まれる。例えば、次のように構成してもよい。
【００６４】
可動部材９１に関し、前述の実施形態ではＳＵＳ板を例示したが、ＳＵＳ板に限定されない。他の種類の金属板であってもよい。また、樹脂板によって作製してもよい。そして、薬剤が載置される載置面に関し、粗面化したり、エンボス加工を施したり、粗面化用のシールを貼付したりして、薬剤との接触面積を低減してもよい。
【００６５】
バケット本体８１に関し、前面部が前方に傾斜された側面視台形状の箱状部材を例示したが、この構成に限定されない。底部８２との対向面が開口とされていれば、直方体状であってもよい。
【００６６】
底部８２の静電気を除去するための構成に関し、前述の実施形態では、可動部材９１及びストッパ９２をＳＵＳ板で作製するとともに導電性を有するリベット９３で固定し、かつ、移動規制部材６３をＳＵＳ板で作製して筐体６を介して接地していたが、この構成に限定されるものではない。可動部材９１、ストッパ９２及び移動規制部材６３に関し、他の種類の導電性金属で作製してもよい。また、金属に限らず導電性樹脂によって作製してもよい。また、移動規制部材６３に関し、筐体６を介さずに直接接地させてもよい。
【符号の説明】
【００６７】
１…薬剤供給装置，２…薬剤供給部，３…薬剤搬送部，４…薬剤包装部，５…コントロールパネル，６…筐体，７…取出口，２１…自動供給部，２２…薬剤フィーダ，２３…タブレットケース，２４…タブレットケース収納部，２５…ケース取付部，２６…シュート，３１…ベルトコンベア，３２…傾斜板，３３…ホッパー，４１…ノズル，４２…包装機，４３…ロール保持部，４４…プリンタ，４５…熱シールヘッド，４６…カッター，４７…コンベア，４８…搬送モータ，５１…表示部，５２…入力部，６１…フレーム，６２…バケット，６２Ａ…第１変形例のバケット，６２Ｂ…第２変形例のバケット，６２Ｃ…第３変形例のバケット，６３…移動規制部材，６４…バケット移動機構，６５…右側案内部材，６６…左側案内部材，７１…無端ベルト，７２…駆動プーリ，７３…従動プーリ，７４…駆動モータ，７５…伝達ベルト，８０…収納空間，８１…バケット本体，８２…底部，８３…傾斜前面部，８４…側面部，８５…背面部，８６…遮蔽部，８７…ガイド孔，９１…可動部材，９１Ａ…第１変形例の可動部材，９１Ｂ…第２変形例の可動部材，９１Ｃ…第３変形例の可動部材，９２…ストッパ，９３…リベット，９４…軸受け部，９５…回転軸，ＴＢ…薬剤
【図１】
2014028632.tif 000003
【図２】
2014028632.tif 000004
【図３】
2014028632.tif 000005
【図４】
2014028632.tif 000006
【図５】
2014028632.tif 000007
【図６】
2014028632.tif 000008
【図７】
2014028632.tif 000009
【図８】
2014028632.tif 000010
【図９】
2014028632.tif 000011
【図１０】
2014028632.tif 000012